(57)【要約】【課題】現有する様々な種類の健診機器及び様々な外部インタフェースに柔軟に対応可能である健診情報収集システムを提供すること。【解決手段】健診工程端末のメモリ２２に各健診メニューを前記端末の表示画面に表示するためのメニュー情報と各健診機器とのインタフェース設定と各健診メニューを選択した場合の前記健診データ又は前記通過記録データを処理するための複数の処理プログラムと前記各健診機器の設定情報とを少なくとも記憶し、健診工程端末のＣＰＵ２１が、前記各健診メニューのいずれか一つを選択させ、該メニューの選択に応じて、前記健診機器の設定情報と前記処理プログラムをメモリ２２より読み出して実行する構成を特徴とする。【選択図】図１
2020119607.tif 000002
【特許請求の範囲】
【請求項１】
健診機器の健診データ又は通過記録データを端末で受信し又は端末に入力して、前記端末が受信した前記健診データ又は前記通過記録データを記録媒体に記憶する健診システムであって、
前記記録媒体には受診者ＩＤ又は健診番号の少なくとも１つが記録されており、
前記端末は、
各健診メニューを前記端末の表示画面に表示するためのメニュー情報と各健診機器とのインタフェース設定と各健診メニューを選択した場合の前記健診データ又は前記通過記録データの処理プログラムと前記各健診機器の設定情報とを少なくとも記憶する記憶手段と、
前記各健診メニューのいずれか一つを選択し、該メニューの選択に応じて、前記健診機器の設定情報と前記処理プログラムを前記記憶手段より読み出して実行する実行制御手段とを備え、
前記処理プログラムは、
前記記録媒体から受診者ＩＤ又は健診番号の少なくとも１つを含む受診者情報を受信する受診者情報受信ステップと、前記健診機器から健診データを受信する健診データ受信ステップと、前記健診データを前記記録媒体に記憶する記憶ステップを含む第一のプログラムと、
前記記録媒体から受診者ＩＤ又は健診番号の少なくとも１つを含む受診者情報を受信する受診者情報受信ステップと、入力された開始番号に基づいて各受診者毎の検査番号を採番する採番ステップと、前記健診番号と前記検査番号を関連付けて前記記憶手段に記憶する記憶ステップと、前記記録媒体に通過情報を記録する通過情報記憶ステップを含む第二のプログラムと、
を含むことを特徴とする健診情報収集システム。
【請求項２】
健診機器の健診データ又は通過記録データを端末で受信し又は端末に入力して、前記端末が受信した前記健診データ又は前記通過記録データを受診者ＩＤ又は健診番号の少なくとも１つが記録されている記録媒体に記憶する健診システムの制御方法であって、
前記端末は、
各健診メニューを前記端末の表示画面に表示するためのメニュー情報と各健診機器とのインタフェース設定と各健診メニューを選択した場合の前記健診データ又は前記通過記録データの処理プログラムと前記各健診機器の設定情報とを少なくとも記憶する記憶ステップと、
前記各健診メニューのいずれか一つを選択し、該メニューの選択に応じて、前記健診機器の設定情報と前記処理プログラムを前記記憶手段より読み出して実行する実行制御ステップとを含み、
前記処理プログラムは、
前記記録媒体から受診者ＩＤ又は健診番号の少なくとも１つを含む受診者情報を受信する受診者情報受信ステップと、前記健診機器から健診データを受信する健診データ受信ステップと、前記健診データを前記記録媒体に記憶する記憶ステップを含む第一のプログラムと、
前記記録媒体から受診者ＩＤ又は健診番号の少なくとも１つを含む受診者情報を受信する受診者情報受信ステップと、入力された開始番号に基づいて各受診者毎の検査番号を採番する採番ステップと、前記健診番号と前記検査番号を関連付けて前記記憶手段に記憶する記憶ステップと、前記記録媒体に通過情報を記録する通過情報記憶ステップを含む第二のプログラムと、
を含むことを特徴とする健診情報収集システムの制御方法。
【請求項３】
健診機器の健診データ又は通過記録データを端末で受信し又は端末に入力して、前記端末が受信した前記健診データ又は前記通過記録データを受診者ＩＤ又は健診番号の少なくとも１つが記録されている記録媒体に記憶する健診システムの制御プログラムであって、
前記端末を、
各健診メニューを前記端末の表示画面に表示するためのメニュー情報と各健診機器とのインタフェース設定と各健診メニューを選択した場合の前記健診データ又は前記通過記録データの処理プログラムと前記各健診機器の設定情報とを少なくとも記憶する記憶手段と、
前記各健診メニューのいずれか一つを選択し、該メニューの選択に応じて、前記健診機器の設定情報と前記処理プログラムを前記記憶手段より読み出して実行する実行制御手段として機能させ、
前記処理プログラムは、
前記記録媒体から受診者ＩＤ又は健診番号の少なくとも１つを含む受診者情報を受信する受診者情報受信ステップと、前記健診機器から健診データを受信する健診データ受信ステップと、前記健診データを前記記録媒体に記憶する記憶ステップを含む第一のプログラムと、
前記記録媒体から受診者ＩＤ又は健診番号の少なくとも１つを含む受診者情報を受信する受診者情報受信ステップと、入力された開始番号に基づいて各受診者毎の検査番号を採番する採番ステップと、前記健診番号と前記検査番号を関連付けて前記記憶手段に記憶する記憶ステップと、前記記録媒体に通過情報を記録する通過情報記憶ステップを含む第二のプログラムと、
を含むことを特徴とする健診情報収集システムの制御プログラム。
【発明の詳細な説明】
【技術分野】
【０００１】
本発明は、各種健診機器の健診データを端末経由で各受診者が携帯するメモリカードに記憶して健診を行う健診情報収集システムに関し、特に出張健診情報収集システムに関する。
【背景技術】
【０００２】
特許文献１では、中央処理装置、外部記憶装置及び各種入出力装置を備えた臨床検査システムにおいて、１人の患者の検査に関する情報を持ち運び可能なメモリ媒体に記憶し、患者とともに移動させることを特徴とする臨床検査システムが開示されている。例えば検査システムからの検査結果データや薬品処方データを診療支援端末及び診療支援端末に接続したメモリカードリーダ／ライタ経由でメモリカードに書込み、患者がこのメモリカードを持ち運び会計での支払いや薬局での処方に使用するものである。
【０００３】
又、特許文献２では、ＩＣカードに測定結果である測定データを書込むテキスト系測定器を設け、記憶装置にＩＣカードから識別データと測定データとを対応づけて保存し、このデータも表示装置は表示する医療システムが開示されている。
【０００４】
更に特許文献３では、受診者が入力する初期情報をＩＣカードに記憶させ、該ＩＣカードを受診者毎に発行する受付手段と、各受診者毎に自動的に検査を行って、その検査情報を個別リードライターを介して該ＩＣカードに記憶させる健康診断用の検査手段と、初期情報及び検査情報を該ＩＣカードからリードライターを介して読み出して記憶し、該検査情報を変更自在な所定条件と対比し所見情報を獲得して、これらの情報から所定情報を出力すると共に、必要に応じてデータベース化する処理手段とからなる健康診断管理システムが開示されている。
【０００５】
又、最近では各検査機器がＬＡＮアダプタを備え、健診データをＬＡＮ経由で管理サーバに送信して蓄積・分析する仕組みも用いられている。
【先行技術文献】
【特許文献】
【０００６】
【特許文献１】特開平０５−２５０４２４号公報
【特許文献２】特開平１１−２１３０６１号公報
【特許文献３】特開２０００−１３９８４５号公報
【発明の概要】
【発明が解決しようとする課題】
【０００７】
しかし、例えば企業や大学等で常設の健診施設を持たない場合には、健診機関の出張健診を依頼して特定日時に会議室や体育館等に健診スタッフが健診機器を設置して限られた時間で効率よく健診を行う必要がある。このような出張健診では各健診機器をＬＡＮで接続するといった形式で健診データを集めることは設置／撤収作業時間の制約から現実的ではない。
【０００８】
更に、健診機器には様々な種類があり、かつ各種の健診機器には測定結果の外部インタフェースを持たないものもある。すなわち、単に測定して結果を表示する機能だけを備えた機器もあれば、特定の方式で健診データの外部出力（有線／無線）が可能な機器や、健診データの外部出力は可能だが検査結果が直ぐには得られない健診機器（例えば血液検査や尿検査、Ｘ線間接撮影等）も存在する。上記従来技術はこのような多様な健診機器の外部インタフェース手段に応じた柔軟な健診システムを構築することが困難であるという問題があった。
【０００９】
又、出張健診において検診データ処理用の端末が故障（特に端末本体とメモリカードが両方共不調になる故障）を起こしたり、健診機器の通信機能が不調になるといった事態が生じた場合でも、健診自体は所定の時間に終了しなければならないが、上記従来技術はこのような健診機器や端末の不調に迅速に対応することについては配慮されていなかった。
【００１０】
更に出張健診の規模により健診機器の台数や種類が変わり、それに応じて外部インタフェースの種類やデータフォーマットも変わるが、上記従来技術はこのような健診機器の変更に柔軟に対応可能なものではなかった。
【００１１】
本願発明は上記の各課題を解決するためになされたものであり、現有する様々な種類の健診機器及び様々な外部インタフェースに柔軟に対応可能である健診情報収集システムを提供することを第一の主たる目的とし、健診機器や端末の不調にも迅速に対応可能な健診情報収集システムを提供することを第二の主たる目的とする。
【課題を解決するための手段】
【００１２】
上記第一の目的を達成するために、本発明の健診情報収集システムは、健診機器の健診データ又は通過記録データを端末で受信し又は端末に入力して、前記端末が受信した前記健診データ又は前記通過記録データを記録媒体に記憶する健診システムであって、前記記録媒体には受診者ＩＤ又は健診番号の少なくとも１つが記録されており、前記端末は、各健診メニューを前記端末の表示画面に表示するためのメニュー情報と各健診機器とのインタフェース設定と各健診メニューを選択した場合の前記健診データ又は前記通過記録データの処理プログラムと前記各健診機器の設定情報とを少なくとも記憶する記憶手段と、前記各健診メニューのいずれか一つを選択し、該メニューの選択に応じて、前記健診機器の設定情報と前記処理プログラムを前記記憶手段より読み出して実行する実行制御手段とを備え、前記処理プログラムは、前記記録媒体から受診者ＩＤ又は健診番号の少なくとも１つを含む受診者情報を受信する受診者情報受信ステップと、前記健診機器から健診データを受信する健診データ受信ステップと、前記健診データを前記記録媒体に記憶する記憶ステップを含む第一のプログラムと、前記記録媒体から受診者ＩＤ又は健診番号の少なくとも１つを含む受診者情報を受信する受診者情報受信ステップと、入力された開始番号に基づいて各受診者毎の検査番号を採番する採番ステップと、前記健診番号と前記検査番号を関連付けて前記記憶手段に記憶する記憶ステップと、前記記録媒体に通過情報を記録する通過情報記憶ステップを含む第二のプログラムと、を含むことを特徴とする。
【００１３】
上記第二の目的を達成するために、本発明の健診情報収集システムは、好ましくは、前記第一のプログラムは、受診者情報受信ステップにおける受信エラーを検知する受信エラー検知ステップと、前記受信エラーを検知した場合に健診データを入力するための画面を表示する入力切替ステップと、入力された健診データを前記記憶手段に記憶する入力ステップとを更に備えることを特徴とする。
【発明の効果】
【００１４】
請求項１乃至請求項３及び請求項５及び請求項８及び請求項９記載の発明によれば、複数の処理プログラムを記憶手段に記憶してメニューの選択に応じて所定の健診機器の設定を読み込んで対応する処理プログラムを実行するので、現有する様々な種類の健診機器及び様々な外部インタフェースに柔軟に対応可能で健診時の準備工数を大幅に削減可能な健診情報収集システムを提供することができるという効果を奏する。
【００１５】
又、請求項４記載の本発明によれば、上記効果に加えて更に検査終了時点での検査洩れの有無を判断し画面に警告を表示するので検査漏れが生じない健診情報収集システムを提供することができるという効果を奏する。
【００１６】
請求項６乃至請求項７記載の発明によれば、上記効果（請求項４記載の発明による効果を除く）に加えて更に健診機器や端末の不調にも迅速に対応可能な健診情報収集システムを提供することができるという効果を奏する。
【図面の簡単な説明】
【００１７】
【図１】本発明の健診データ収集システムのシステム構成の一例を示す図である。
【図２】本発明の端末のハードウェア構成の一例を示す図である。
【図３】本発明の受付端末における受付処理のフローチャートの一例を示す図である。
【図４】本発明の各健診工程端末における全体処理のフローチャートの一例を示す図である。
【図５】本発明の健診工程端末における処理プログラム（第一のプログラム）のフローチャートの一例を示す図である。
【図６】本発明の健診工程端末における処理プログラム（第一のプログラム）のフローチャートの他の例を示す図である。
【図７】本発明の健診工程端末における処理プログラム（第二のプログラム）のフローチャートの一例を示す図である。
【図８】本発明の健診工程端末における処理プログラム（第五のプログラム）のフローチャートの一例を示す図である。
【図９】本発明の健診工程端末における処理プログラム（第三のプログラム）のフローチャートの一例を示す図である。
【図１０】本発明の健診工程端末における処理プログラム（第四のプログラム、請求項７）のフローチャートの一例を示す図である。
【図１１】本発明の健診工程端末における処理プログラム（請求項７）のフローチャートの他の例を示す図である。
【図１２】本発明の健診工程端末における処理プログラム（第一のプログラム）のフローチャートの他の例を示す図である。
【図１３】本発明の管理端末における回収処理プログラムのフローチャートの例を示す図である。
【図１４】本発明の関連付情報ファイルの一例を示す図である。
【図１５】本発明の関連付情報ファイルの他の例を示す図である。
【図１６】本発明の受付端末における受付処理画面（図３のステップＳ３２４乃至ステップＳ３２７）の一例を示す図である。
【図１７】本発明の健診工程端末における初期メニュー画面（図４のステップＳ４２１）の一例を示す図である。
【図１８】本発明の健診工程端末における処理プログラム画面（図９のステップＳ９２８乃至ステップＳ９３２）の一例を示す図である。
【図１９】本発明の健診工程端末における処理プログラム画面（図６のステップＳ６３１乃至ステップＳ６３４）の一例を示す図である。
【図２０】本発明の健診工程端末における処理プログラム画面（図７のステップＳ７２９乃至ステップＳ７３２）の一例を示す図である。
【図２１】本発明の管理端末における回収処理プログラム画面（図１３のステップＳ１３２６、ステップＳ１３２９）の一例を示す図である。
【図２２】本発明の管理端末における回収処理プログラム画面（図１３のステップＳ１３２９）の一例を示す図である。
【発明を実施するための形態】
【００１８】
以下、図面を参照しながら本発明の実施形態を詳細に説明する。
【００１９】
図１は、本発明の健診データ収集システムのシステム構成を示す図である。
【００２０】
図１において、１００は受付端末である。受付端末１００は、ハンディターミナル又はノート型パーソナルコンピュータ等であり、本体にＲＦ−ＩＤのリーダライタ２７（図２）が着脱可能に接続されている。なお、上記ＲＦ−ＩＤのリーダライタ２７（図２）は本体内に内蔵しても勿論構わない。
【００２１】
また、受付端末１００には、不図示のバーコードリーダが接続されている。そして、受付端末１００のメモリ２２（図２）には、受診者の受診者ＩＤ、健診番号、氏名、性別、年齢又は生年月日を含む受診者情報を記憶する受診者ファイルと、バーコードリーダが読み取った画像ファイル中のバーコードを識別して文字データに変換するプログラムや後述する受付処理プログラム（図３）が記憶されている。
【００２２】
管理端末１５０もハンディターミナル又はノート型パーソナルコンピュータ等であり、本体にＲＦ−ＩＤのリーダライタ２７が着脱可能に接続されている。また、管理端末１５０のメモリ２２には、健診結果ファイルと、後述する回収処理プログラム（図１３）が記憶されている。
【００２３】
健診工程端末Ａ（１１１）〜Ｎ（１２９）のメモリ２２（図２）には、図４の制御プログラムと、図５乃至図１２に示す各健診工程別の処理プログラムと、各プログラムで使用する画面情報（ディスプレイ２５に図１６乃至図２２に示す画面を表示するためのデータであり、各プログラムの中に含めても良い）と、図１４乃至図１５に示すメニューと各処理プログラムを関連付けるための関連付情報ファイルと、各健診機器の機器設定情報（健診工程端末Ａ（１１１）〜Ｎ（１２９）の設定情報）と、各健診機器とのデータのやり取りに用いられる通信プログラム（Ｂｌｕｅｔｏｏｔｈ（登録商標），ＩｒＤＡ、ＴＣＰ／ＩＰ等の各通信手順やプロトコルに対応した通信プログラム）が記憶されている。なお、上記各通信プログラムの少なくとも一部をオペレーションシステムに含めても良い。各健診工程端末には同一のプログラム（制御プログラム、全処理プログラム、通信プログラム及びこれらプログラム用の画面情報や関連付情報ファイル）と全健診機器の機器設定情報が記憶されているので、メニューで特定の健診工程（例えば血液検査）を選択するだけで任意の健診工程端末を任意の健診工程において使用することができる。
【００２４】
健診機器Ａ（１１０）〜Ｎ（１２８）は、健診に使用する例えばＸ線撮影装置や血圧計、心電図測定器等の各種検査機器であり、健診工程端末Ａ（１１１）〜Ｎ（１２９）とのデータのやり取りを可能にする外部インタフェース（例えばＢｌｕｅｔｏｏｔｈ（登録商標）やＩｒＤＡ等）を備えている。また、健診機器Ａ（１１０）〜Ｎ（１２８）は、健診工程端末Ａ（１１１）〜Ｎ（１２９）と有線のケーブル（ＵＳＢやＩＥＥＥ１３９４、パラレル転送用ケーブル等）で接続しても良く、ピアツーピアやＴＣＰ／ＩＰ、ＦＴＰ等で通信しても良い。
【００２５】
記録媒体１６０は、各受診者が持ち運んで健診者情報（例えば健診者ＩＤや健診番号は氏名、性別、年齢又は生年月日）や各健診工程の検査データや通過データを記憶するための媒体であり、例えばＲＦ−ＩＤやＩＣカード、各種メモリカードを含むが、これらに限らずおよそデータの記憶／更新が可能で持ち運びが可能な程度に小型な記録媒体（例えばＵＳＢメモリ等）であれば良い。又、以下の説明では記録媒体１６０内にコントローラを有するものとしているが、記録媒体１６０内にコントローラを有さずに、リーダライタ２７から指定されたアドレスに指定されたデータを記憶し、あるいは更新できる構成でも構わない。
【００２６】
なお、図１において、健診機器Ａ１１０と健診工程端末Ａ１１１のように２つが実線で結ばれている場合は、両者がケーブル（有線）で接続されていることを意味し、健診機器Ｂ１１２と健診工程端末Ｂ１１３のように２つが点線で結ばれている場合は両者が無線や赤外線で接続されていることを意味し、健診機器Ｃ１１４と健診工程端末Ｃ１１５のように２つが結ばれていない場合は両者が接続されておらず、健診機器Ｃ１１４の検査結果を健診工程端末Ｃ１１５に手入力する場合を示している。
【００２７】
図２は、本発明の実施形態の各種端末（受付端末、各健診工程端末、管理端末）のハードウェア構成を示す図である。
【００２８】
図２に示すように、ＣＰＵ２１、メモリ２２、ＲＯＭ２３、通信アダプタ２４、ディスプレイ２５、キーボード２６、はそれぞれシステムバス２０を介して互いに接続されている。
【００２９】
システムバス２０は、例えば、ＰＣＩバス、ＡＧＰバス、メモリバス等を意味する。また、図２では、各バス間の接続用チップやキーボードインタフェースやディスプレイインタフェース等の各種インタフェースは省略されている。
【００３０】
ＣＰＵ２１は、四則演算や比較演算等の各種の演算や、ハードウェアやソフトウェアの制御を行う。メモリ２２は、オペレーションシステムや以下に示す各端末で実行されるフローチャートのステップに対応する部分を実行するためのアプリケーションプログラム（画面表示のための画面情報を含む）や、前述した各種データやファイルを記憶しており、本実施例ではメモリ２２は不揮発性のメモリを使用している。
【００３１】
なお、各種端末に不図示のハードディスクや大容量フラッシュメモリ等により構成されるいわゆるシリコンディスクを更に備え、このハードディスクやシリコンディスクにオペレーションシステムのプログラムやアプリケーションプログラム等を記憶し、実行時にはこのハードディスクやシリコンディスクから各プログラムをメモリ２２に読み出して実行する形態も勿論可能である。
【００３２】
ＲＯＭ２３には、オペレーションシステムと協働してハードディスク等への入出力を司るいわゆるＢＩＯＳ等が記憶される。
【００３３】
通信アダプタ２４は、ＣＰＵ２１によって制御されるオペレーションシステムの通信プログラムと協働して不し図示の通信回線を介した外部（例えば後述する図１０のステップＳ１０３３や図１１のステップＳ１１３３での他の健診工程端末）との通信を行う。
【００３４】
ディスプレイ２５は、画面を表示しタッチパネルを兼ねており、キーボード２６は各種指示や数値を入力するために用いられる。
【００３５】
リーダライタ２７は、記録媒体１６０からデータを読込んだり、逆に記録媒体１６０にデータを書込むためのものである。なお、読み込み書込みの方法は、記憶媒体１６０をリーダライタ２７に挿入／接触させる接触式であるか、データの読み書きのために記憶媒体１６０とリーダライタ２７が接触する必要がない非接触式であるかは問わない。又リーダライタ２７は記録媒体１６０の種類に対応してデータの記憶／更新ができるものを使用することは言うまでもない。
【００３６】
次に図３のフローチャートを用いて本実施形態の処理を説明する。
【００３７】
図３は、本発明の受付端末における受付処理のフローチャートの一例を示す図である。なお、図３のステップＳ３２１乃至ステップＳ３２７は受付端末１００のＣＰＵ２１がメモリ２２に記憶されるプログラムを読み出して実行することにより実現される（即ち、受付端末１００のＣＰＵ２１の制御の元で実行される）処理に対応する。また、ステップＳ３０１は、記録媒体１６０内の不図示のコントローラが実行する処理に対応する。
【００３８】
まずステップＳ３２１では、受付端末１００のＣＰＵ２１は、受付端末１００のディスプレイ２５に図１６に示す受付入力画面を表示し、該受付入力画面の"健診リスト読込"ボタン１６７部分がタッチされると、外部から受信したあるいは受付端末１００に備えたＵＳＢ端子に挿入されたＵＳＢメモリから当日の受診者の一覧データである受診者ファイルを読込んでメモリ２２に記憶する。
【００３９】
ステップＳ３２２では、受付端末１００のＣＰＵ２１は、外部から受信したあるいは受付端末１００に備えたＵＳＢ端子に挿入されたＵＳＢメモリから当日の健診工程の一覧データである健診工程情報ファイルを読込んでメモリ２２に記憶する。なお、健診工程情報ファイルは、各健診工程における検査データ又は通過データの初期値を含んでいる。
【００４０】
ステップＳ３２３では、図１６に示す受付入力画面で"健診番号設定"ボタン１６４部分がタッチされると、受付端末１００のＣＰＵ２１は、不図示の健診番号の初期値設定画面をディスプレイ２５に表示し、例えば０１２３４５６７といった検査番号の初期値設定処理を行った後、図１６の画面に戻す。なお、この検査番号初期値設定処理は、１回の健診の最初にのみ行うものとする。
【００４１】
ステップＳ３２４では、図１６に示す受付入力画面で"受診票スキャン"ボタン１６５部分をタッチされると、受付端末１００のＣＰＵ２１は、受付端末１００に接続されているスキャナが読込み可能に制御する。そして、各受診者が予め記入して持参した受診票（各受診者が自覚症状等を記入する一種の問診票）がスキャナにセットされて、該受診票の読み込み指示がなされると、受付端末１００のＣＰＵ２１は、該受診票をスキャンして、受付端末１００のバーコード認識プログラムにより該受診票に予め印刷された一意のバーコードを認識してテキストデータ（受診者ＩＤ）に変換し、メモリ２２に記憶する。なお、上記スキャナはバーコードリーダであってもよい。
【００４２】
ステップＳ３２５では、受付端末１００のＣＰＵ２１は、ステップＳ３２４でメモリ２２に記憶された受診者ＩＤとステップＳ３２１でメモリ２２に記憶された受診者ファイルを照合して、受診者ＩＤが受診者ファイル中に存在するか判定し、存在しない場合は、不図示のステップにおいて、不図示のエラーメッセージをディスプレイ２５に表示して処理をステップＳ３２４に戻す。
【００４３】
一方、ステップＳ３２５で、受診者ＩＤが受診者ファイル中に存在すると判断した場合には、受付端末１００のＣＰＵ２１は、該当する受診者ＩＤの受診者情報（例えば、受診者氏名、性別、年齢）を受診者ファイルから読み出してメモリ２２に記憶し、処理をステップＳ３２６に進める。なお、受診者情報の年齢の代わりに生年月日を記憶しても良い。
【００４４】
ステップＳ３２６では、受付端末１００のＣＰＵ２１は、ステップＳ３２３で設定した健診番号の初期値に１を加えて健診番号を採番する。
【００４５】
ステップＳ３２７では、受付端末１００のＣＰＵ２１は、健診番号と健診工程情報と受診者情報（受診者ＩＤ、受診者氏名、性別、年齢）を、各受診者が持参した記憶媒体１６０に送信し、ステップＳ３２４に処理を戻す。
【００４６】
ステップＳ３０１では、記録媒体１６０のコントローラは、受付端末１００から健診番号と健診工程情報と受診者情報を受信すると、該受信した健診番号と健診工程情報と受診者情報を記録媒体１６０の不図示の記憶部に書込む（記憶する）。これにより、受診者が持ち運ぶ記録媒体１６０に、当該受診者の健診者情報（例えば健診者ＩＤや健診番号は氏名、性別、年齢又は生年月日）が記録されることになる。
【００４７】
次に図４は本発明の各健診工程端末における全体処理のフローチャートの一例を示す図である。なお、図４のステップＳ４２１乃至ステップＳ４２６は各健診工程端末（健診工程端末Ａ（１１１）〜Ｎ（１２９））のＣＰＵ２１がメモリ２２に記憶されるプログラムを読み出して実行することにより実現される（即ち、健診工程端末のＣＰＵ２１の制御の元で実行される）処理に対応する。以下、健診工程端末Ａ１１１で実行されるものとして説明するが、他の健診工程端末でも同様である。
【００４８】
まず、健診工程端末Ａ１１１の電源がオンにされて健診工程端末Ａ１１１が起動されると、ステップＳ４２１で、健診工程端末Ａ１１１のＣＰＵ２１は、図１７に示す健診システムメニューを初期メニューとしてディスプレイ２５に表示する。詳細には、ＣＰＵ２１は、図１４に示す関連付情報ファイルをメモリ２２から読み出して、該読み出した関連付情報ファイル内のメニュー情報（メニュー，メニュー名等）に基づいて図１７に示す健診システムメニューを表示するように制御する。
【００４９】
図１４は、本発明の関連付情報ファイルの一例を示す図である。図１４に示すように、関連付情報ファイルは、メニュー，メニュー名，メニューを選択した場合に実行する処理プログラム名，健診機器の設定情報を記録した機器情報ファイル名等の情報を含む。
【００５０】
図１７は、本発明の健診工程端末における初期メニュー画面の一例を示す図である。
【００５１】
ここで図１７の"各種設定"ボタン１７２をタッチしてサブメニューを表示し各サブメニューをタッチして入力や編集を行なうことで、Ｂｌｕｅｔｏｏｔｈ（登録商標）やＩｒＤＡ等の各種通信手順の設定や図１０のステップＳ１０３２や図１１のステップＳ１１３３で読込む送信先端末の指定や健診工程担当者の氏名等の設定や新たな健診機器の設定ファイルの読込み等を実行することができ、これらの各設定データはメモリ２２に記憶される。
【００５２】
また、図１７に示す健診システムメニューの「１．視力検査」〜「１１．癌簡易検査」は、各健診工程のプログラムを起動するためのタッチボタンであり、「１．視力検査」〜「１１．癌簡易検査」のいずれかのボタン（例えば「１０．身長・体重」ボタン）がタッチされると、健診工程端末Ａ１１１のＣＰＵ２１は、処理をステップＳ４２２に進め、"選択"ボタンがタッチされると、処理をステップＳ４２３に進める。
【００５３】
ステップＳ４２３では、健診工程端末Ａ１１１のＣＰＵ２１は、メモリ２２に記憶されているな関連付け情報ファイルが図１５に示すように同一選択されたメニューに対して複数のメニュー（１−１と１−２）が存在する場合、つまり例えばメニューに枝番がついている場合は、この複数の機器情報ファイルに対応する機器情報ファイル名から機器名称を読み出して不図示の画面に表示し、複数のうち一つがタッチにより選択されると処理をステップＳ４２４に進める。
【００５４】
図１５は、本発明の関連付情報ファイルの他の例を示す図である。
【００５５】
一方、ステップＳ４２３で、メモリ２２に記憶されているな関連付け情報ファイルが同一選択されたメニューに対して複数のメニューが存在しないと判断した場合（図１４に示す場合）には、健診工程端末Ａ１１１のＣＰＵ２１は、そのまま処理をステップＳ４２４に進める。
【００５６】
ステップＳ４２４では、選択されたメニュー（及び機器）に基づいて、メモリ２２に記憶されている図１４又は図１５に示すような関連付け情報ファイルの選択されたメニューに該当する機器設定情報ファイル名がメモリ２２のワークエリアに読込まれる。
【００５７】
例えば、関連付け情報ファイルが図１４に示す内容であり、"１０．身長・体重"が選択された場合は、健診工程端末Ａ１１１のＣＰＵ２１は、選択に応じて機器設定情報ファイル名"ｆａｓｈｉｇｗｅｉ"及び対応する処理プログラム名"ｐｒｏｈｉｇｗｅｉ"が読み込む。
【００５８】
次に、ステップＳ４２５では、健診工程端末Ａ１１１のＣＰＵ２１は、ステップＳ４２４で読み込んだプログラム名のプログラムを実行し、処理プログラム画面をディスプレイ２５に表示する。例えば、ステップＳ４２５では、処理プログラム名"ｐｒｏｈｉｇｗｅｉ"を実行し、図１９に示すような身長・体重を測定するための画面をディスプレイ２５に表示する。
【００５９】
図１９は、本発明の健診工程端末における処理プログラム画面の一例を示す図である。
【００６０】
この工程により、操作者が選択したメニューに対応する処理プログラムが実行されて、所望の健診工程における処理を実行できる。
【００６１】
次に、ステップＳ４２６では、健診工程端末Ａ１１１のＣＰＵ２１は、処理プログラム画面の"メニュー"ボタン（図１９に示すディスプレイ２５の画面では、左下の"メニュー"ボタン１９６）へのタッチを検知するまで、プログラムの実行を継続し、"メニュー"ボタンへのタッチを検知した場合は、処理をステップＳ４２１に戻す。
【００６２】
次に図５のフローチャートを説明する。
【００６３】
図５は、図４のステップＳ４２５で実行される本発明の健診工程端末における処理プログラム（後述する第一のプログラム）のフローチャートの一例を示す図である。なお、図５のステップＳ５２１乃至ステップＳ５３３は各健診工程端末のＣＰＵ２１がメモリ２２に記憶されるプログラムを読み出して実行することにより実現される（即ち、健診工程端末のＣＰＵ２１の制御の元で実行される）処理に対応する。また、Ｓ５１１乃至ステップＳ５１６は各健診機器のＣＰＵ２１がメモリ２２に記憶されるプログラムを読み出して実行することにより実現される（即ち、健診機器のＣＰＵ２１の制御の元で実行される）処理に対応する。また、ステップＳ５０１乃至ステップＳ５０３は、記録媒体１６０内の不図示のコントローラが実行する処理に対応する。以下、健診工程端末Ａ１１１，健診機器Ａ１１０で実行されるものとして説明する。
【００６４】
また、ここでは、特に図１７の健診システムメニューで"１０．身長・体重"ボタン１７１がタッチされ、図１９に示す身長・体重測定用の画面が表示された場合を例に処理を説明する。
【００６５】
但し、図５の処理においては検査データの送信を健診機器側の操作で開始しているため（ステップＳ５１３）、図１９の画面では"データ受信"ボタン１９４は存在しない。また、図１９の画面の初期状態では、健診者ＩＤや健診番号や氏名、性別、年齢や身長及び体重、ＢＭＩ値やＢＭＩ値の判定結果は表示されない。
【００６６】
まずステップＳ５２１では、健診工程端末Ａ１１１のＣＰＵ２１は、ディスプレイ２５（タッチパネルを兼ねる）やリーダライタ２７への操作を判定し、処理をステップＳ５２２に進める。
【００６７】
ステップＳ５２２では、健診工程端末Ａ１１１のリーダライタ２７にカード（記録媒体１６０）がタッチしたかを判定する。
【００６８】
ステップＳ５２２で、リーダライタ２７に記録媒体１６０がタッチしたと判定した場合は、健診工程端末Ａ１１１のＣＰＵ２１は、処理をステップＳ５２６に進める。
【００６９】
一方、ステップＳ５２２で、リーダライタ２７に記録媒体１６０がタッチしなかったと判定した場合は、健診工程端末Ａ１１１のＣＰＵ２１は、処理をステップＳ５２３に進める。
【００７０】
ステップＳ５２３では、キーボード２６の不図示の"終了"ボタンが押下されたか否かを検知し、終了ボタンの押下を検知したと判断した場合には、健診工程端末Ａ１１１のＣＰＵ２１は、処理を終了する。
【００７１】
一方、ステップＳ５２３で、終了ボタンの押下を検知しなかったと判断した場合には、健診工程端末Ａ１１１のＣＰＵ２１は、処理をステップＳ５２４に進める。
【００７２】
ステップＳ５２４では、健診工程端末Ａ１１１のＣＰＵ２１は、キーボード２６のその他のボタンや例えば図１９の"データクリア"ボタン１９３がタッチされたか否かを検知する。
【００７３】
そして、ステップＳ５２４で、その他のボタンやデータクリアボタン１９３の押下又はタッチを検知したと判断した場合には、健診工程端末Ａ１１１のＣＰＵ２１は、処理をステップＳ５２５に進める。
【００７４】
ステップＳ５２５では、健診工程端末Ａ１１１のＣＰＵ２１は、押下又はタッチを検知したボタンに対応する処理を実行して、ステップＳ５２１に処理を戻す。
【００７５】
一方、ステップＳ５２４で、その他のボタンの押下又はタッチを検知しなかったと判断した場合には、健診工程端末Ａ１１１のＣＰＵ２１は、処理をステップＳ５２１に戻す。
【００７６】
ステップＳ５２６では、健診工程端末Ａ１１１のＣＰＵ２１は、リーダライタ２７を介して記憶媒体１６０に対して受診者情報の読取要求を送信する。
【００７７】
ステップＳ５０１では、記録媒体１６０のコントローラは、健診工程端末Ａ１１１のリーダライタ２７から受診者情報の読取要求を受信すると、ステップＳ５０２において、受診者情報を管理端末１５０のリーダライタ２７に送信する。
【００７８】
次に、ステップＳ５２７において、健診工程端末Ａ１１１のＣＰＵ２１は、リーダライタ２７を介して受診者情報を受信して、ステップＳ５２８において図１９の画面に受診者ＩＤ（９１２３４５）や健診番号（０１２３４５６７）及び受診者氏名（佳能  太郎）や年齢（３５歳）や性別（男）を表示する（２回目以降の計測の場合、身長や体重やＢＭＩ後述のステップＳ５３２でクリアされているのでここでは未だ表示されない）。
【００７９】
ステップＳ５２８の表示後、健診工程端末Ａ１１１のＣＰＵ２１は、処理をステップＳ５２９に進めて、健診機器Ａ１１０からの検査データの受信を待ち、リーダライタ２７を介して検査データの受信を検知すると、処理をステップＳ５３０に進める。
【００８０】
他方、健診機器Ａ１１０では、ステップＳ５１１において、ＣＰＵ２１が、検査データの計測（身長及び体重の計測）を実行し、計測が終了すると、処理をステップＳ５１２に進める。ステップＳ５１２では、健診機器Ａ１１０のＣＰＵ２１は、ボタン操作の有無を判定し、処理をステップＳ５１３に進める。
【００８１】
ステップＳ５１３では、健診機器Ａ１１０のＣＰＵ２１は、送信ボタンの押下を検知しなかった場合には、ステップＳ５１２に処理を戻す。
【００８２】
一方、ステップＳ５１３では、健診機器Ａ１１０のＣＰＵ２１が、送信ボタンの押下を検知した場合には、ステップＳ５１４に処理を進める。
【００８３】
ステップＳ５１４では、健診機器Ａ１１０のＣＰＵ２１は、検査データを健診工程端末Ａ１１１に送信して、処理をステップＳ５１５に進める。
【００８４】
ステップＳ５１５では、健診機器Ａ１１０のＣＰＵ２１は、送信が正常に終了したかを判定して、正常に終了しなかった場合は、タイムアウトになるまでステップＳ５１５に戻って検査データを再送し、タイムアウトになった場合は、不図示のステップにおいてエラーを表示する。
【００８５】
一方、ステップＳ５１５で、送信が正常に終了したと判断した場合には、健診機器Ａ１１０のＣＰＵ２１は、処理をステップＳ５１６に進め、検査データを健診機器Ａ１１０のメモリ２２内の検査データ保存エリアに記憶すると共に、メモリ２２のワークエリア中の最新の検査データ（表示用及び送信用の検査データ）をクリアして、処理をステップＳ５１１に戻して、次の計測開始を待つように制御する。
【００８６】
他方、健診工程端末Ａ１１１のＣＰＵ２１は、ステップＳ５３０において、健診機器Ａ１１０から送信された検査データを受信処理し、処理をステップＳ５３１に進めて、受信した検査データを健診工程端末Ａ１１１のメモリ２２内のワークエリアに記憶する。そして、健診工程端末Ａ１１１のＣＰＵ２１は、"１０．身長・体重"の健診の場合、ＢＭＩ値（体重のｋｇ値を身長のｍ値の二乗で割る）を計算してメモリ２２のワークエリアに記憶し、適否を判定（例えばＢＭＩ値が18.5乃至24.9であれば"適正"と判定する）し判定結果をメモリ２２のワークエリアに記憶し、身長・体重と共に図１９の画面に表示し、処理をステップＳ５３２に進める。
【００８７】
ステップＳ５３２では、健診工程端末Ａ１１１のＣＰＵ２１は、図１９の登録ボタン１９５のタッチの検知するまで待機し、タッチを検知したと判断した場合には、処理をステップＳ５３３に進める。
【００８８】
ステップＳ５３３では、健診工程端末Ａ１１１のＣＰＵ２１は、検査データ（身長・体重、ＢＭＩ値、適否判定値）を記録媒体１６０に送信し、ステップＳ５２１に処理を戻す。
【００８９】
そして、ステップＳ５０３において、記録媒体１６０のコントローラは、健診工程端末Ａ１１１のリーダライタ２７から検査データを受信すると、該受診した検査データを記録媒体１６０内の記録部に書込む（記録する）。
【００９０】
以上により、受診者が持ち運ぶ記録媒体１６０に、当該受診者の検査データ（例えば、身長・体重、ＢＭＩ値、適否判定値）が記録されることになる。
【００９１】
なお、健診機器側にも更にリーダライタを備え、健診機器のリーダライタにおいて記録媒体１６０のタッチを検知して、健診機器のリーダライタが記録媒体１６０に受診者情報を要求して、リーダライタが記録媒体１６０から受信した受診者情報と検査データを一括して健診機器から健診工程端末に送信し、健診工程端末が受診者情報と検査データを受信して、受診者情報で突き合わせて検査データをメモリ２２に記憶する処理を行なう構成でも良く、このように構成することで健診機器における送信ボタンの押下は不要になる。又ＢＭＩ値及び適否判定値を健診機器Ａ１１０側の不図示のステップで計算して検査データと一緒に健診工程端末Ａ１１１に送信しても良い。
【００９２】
次に図６について説明する。
【００９３】
図６は、図４のステップＳ４２５で実行される本発明の健診工程端末における処理プログラム（後述する第一のプログラム）のフローチャートの他の例を示す図である。なお、図６のステップＳ６２１乃至ステップＳ６３４は各健診工程端末のＣＰＵ２１がメモリ２２に記憶されるプログラムを読み出して実行することにより実現される（即ち、健診工程端末のＣＰＵ２１の制御の元で実行される）処理に対応する。また、Ｓ６１１乃至ステップＳ６１５は各健診機器のＣＰＵ２１がメモリ２２に記憶されるプログラムを読み出して実行することにより実現される（即ち、健診機器のＣＰＵ２１の制御の元で実行される）処理に対応する。また、ステップＳ６０１乃至ステップＳ６０３は、記録媒体１６０内の不図示のコントローラが実行する処理に対応する。以下、健診工程端末Ａ１１１，健診機器Ａ１１０で実行されるものとして説明する。
【００９４】
なお、以下、図６乃至図１２の各フローチャートでは、図５との差異部分について説明する。
【００９５】
図５のフローチャートとの違いは、健診工程端末Ａ１１１から見て図５がいわゆるプッシュ型であるのに対して、図６のフローチャートの処理はいわゆるプル型である点である。具体的な処理では、図５において健診機器Ａ１１０が実行するステップＳ５１２乃至ステップＳ５１３がなく、又健診工程端末Ａ１１１が実行するステップＳ５２９がない。
【００９６】
替わりに図６では、ステップＳ６２９において、健診工程端末Ａ１１１のＣＰＵ２１が、データ要求ボタン（図１９のデータ受信ボタン１９４）のタッチを検知すると、処理をステップＳ６３０に進め、ステップＳ６３０では、健診機器Ａ１１０に検査データ要求を送信する。
【００９７】
他方、健診機器Ａ１１０のＣＰＵ２１は、ステップＳ６１２において、検査データ要求を受信すると、ステップＳ６１４に処理を進める。他のステップは図５と同様に処理するので説明を省略する。
【００９８】
以上のように構成することで、健診機器側に送信ボタンがない場合でも、健診工程端末から検査データを要求して検査データを取込んで、受診者が持ち運ぶ記録媒体１６０に記録することが可能になる。
【００９９】
次に図７について説明する。
【０１００】
図７は、図４のステップＳ４２５で実行される本発明の健診工程端末における処理プログラム（後述する第二のプログラム）のフローチャートの一例を示す図である。図７は例えばＸ線間接撮影装置のように当該健診工程固有の検査番号（Ｘ線間接撮影装置では具体的には撮影番号）を採番し、記憶媒体には通過したことを示す通過データを記憶する場合の処理を説明している。なお、図７のステップＳ７２１乃至ステップＳ７３２は各健診工程端末のＣＰＵ２１がメモリ２２に記憶されるプログラムを読み出して実行することにより実現される（即ち、健診工程端末のＣＰＵ２１の制御の元で実行される）処理に対応する。また、ステップＳ７０１乃至ステップＳ７０３は、記録媒体１６０内の不図示のコントローラが実行する処理に対応する。以下、健診工程端末Ｃ１１５で実行されるものとして説明する。
【０１０１】
なお、図７の処理（受付処理）では、ステップＳ７２１乃至ステップＳ７２８は図５のステップＳ５２１乃至ステップＳ５２８と同様である。他方、初期設定及び図７のステップＳ７２８以降の処理は図５の処理とは異なるので、以下ステップＳ７２９以降を説明する。
【０１０２】
まず、この健診工程用の健診工程端末Ｃ１１５では、図７のフローチャートを実行する前準備として初期設定を行う。具体的には図１７に示す健診システムメニュー画面において"１２．各種設定"のボタンのタッチを検知すると各種設定のサブメニュー画面に遷移し、サブメニューの"検査番号初期設定"のボタンのタッチを検知すると検査番号初期設定画面に遷移し、検査番号初期値（例えば撮影番号又はフィルム番号の初期値）を入力し、１だけ減じてからメモリ２２に記憶する（この部分フローチャート及び図面は示さず）。
【０１０３】
次に、図１７の健診システムメニューで"８．Ｘ線検査"ボタンがタッチされた場合を例に、ステップＳ７２８以降の処理を説明する。
【０１０４】
ステップＳ７２８では、健診工程端末Ｃ１１５のＣＰＵ２１は、例えば図２０に示すようなＸ線検査の画面をディスプレイ２５に表示し（但しこの時点では受診者ＩＤと健診番号を表示し、検査番号はブランクを表示し）、処理をステップＳ７２９に進める。
【０１０５】
ステップＳ７２９では、健診工程端末Ｃ１１５のＣＰＵ２１は、上記検査番号初期値に１を加えて検査番号２０１を更新表示し（この時点で図２０の画面の検査番号２０１で"０７０６７８"を表示し）、処理をステップＳ７３０に進める。
【０１０６】
ステップＳ７３０では、健診工程端末Ｃ１１５のＣＰＵ２１は、受付ボタン２０３のタッチの有無を検知し、タッチを検知したと判断した場合には、処理をステップＳ７３１に進める。
【０１０７】
一方、ステップＳ７３０で、受付ボタン２０３のタッチを検知せずに"データクリア"ボタン２０２のタッチを検知したと判断した場合には、健診工程端末Ｃ１１５のＣＰＵ２１は、受診者ＩＤ、健診番号及び検査番号をクリアする。ここで各データの手入力が可能になるが、"データクリア"ボタン２０２をタッチしてデータを手入力した場合、後述するステップＳ７３１では履歴データに修正された旨を示す修正フラグを追加して修正履歴を残す。"データクリア"ボタン２０３等の他のボタンのタッチも検知しない場合は待機する。
【０１０８】
ステップＳ７３１では、健診工程端末Ｃ１１５のＣＰＵ２１は、システム日付から取得した受信日と受診者ＩＤ、健診番号及び検査番号を含む履歴データの１レコード分をメモリ２２に追加し、処理をステップＳ７３２に進める。
【０１０９】
ステップＳ７３２では、健診工程端末Ｃ１１５のＣＰＵ２１は、この健診工程を通過した旨を意味する通過データ（通過した旨のフラグデータ）を記録媒体１６０に送信し、処理をステップＳ７２１に戻す。
【０１１０】
そして、ステップＳ７０３において、記録媒体１６０のコントローラは、健診工程端末Ｃ１１５のリーダライタ２７から通過データを受信すると、該受診した通過データを記録媒体１６０内の記録部に書込む（記録する）。
【０１１１】
なお、上記の処理では通過データを記録媒体１６０に記録しているが、通過データの代わりに検査番号を記憶する処理を行なっても良いし、あるいは通過データと検査番号を併せて記憶する処理を行っても良い。以上で図７の説明を終了する。
【０１１２】
以上、図７に示した処理では、Ｘ線間接撮影や胃カメラ等画像系の健診機器でフィルム番号や画像ファイル番号を検査番号として受診者ＩＤと関連付けて、受診者が持ち運ぶ記録媒体１６０に記録することができる。
【０１１３】
次に図８の処理を説明する。
【０１１４】
図８は、図４のステップＳ４２５で実行される本発明の健診工程端末における処理プログラム（後述する第五のプログラム）のフローチャートの一例を示す図である。図８の処理プログラムは検査番号を別途採番せずに当該健診工程で受付けを管理する処理を行い、例えば健診番号と一致する容器に血液を採取する場合における血液検査工程が該当する。なお、図８のステップＳ８２１乃至ステップＳ８３１は各健診工程端末のＣＰＵ２１がメモリ２２に記憶されるプログラムを読み出して実行することにより実現される（即ち、健診工程端末のＣＰＵ２１の制御の元で実行される）処理に対応する。また、ステップＳ８０１乃至ステップＳ８０３は、記録媒体１６０内の不図示のコントローラが実行する処理に対応する。以下、健診工程端末Ｃ１１５で実行されるものとして説明する。
【０１１５】
なお、図８の処理と図７の処理との違いはステップＳ７２９の検査番号採番ステップがないだけであり、詳細な説明は省略する。
【０１１６】
以上、図８に示した処理では、検査番号を別途採番せずに健診工程で受付けを管理するような場合であっても、容易に通過データを受診者が持ち運ぶ記録媒体１６０に記録することができる。
【０１１７】
次に図９の処理を説明する。
【０１１８】
図９は、図４のステップＳ４２５で実行される本発明の健診工程端末における処理プログラム（後述する第三のプログラム）のフローチャートの一例を示す図である。図９の処理プログラムは、健診機器の検査結果表示を見て健診工程端末に手入力する場合の処理であり、例えば図１８に示す画面において視力検査で左右の視力を手入力する場合が該当する。
【０１１９】
なお、図９のステップＳ９２１乃至ステップＳ９３２は各健診工程端末のＣＰＵ２１がメモリ２２に記憶されるプログラムを読み出して実行することにより実現される（即ち、健診工程端末のＣＰＵ２１の制御の元で実行される）処理に対応する。また、ステップＳ９０１乃至ステップＳ９０３は、記録媒体１６０内の不図示のコントローラが実行する処理に対応する。以下、健診工程端末Ｃ１１５で実行されるものとして説明する。
【０１２０】
図９のステップＳ９２１乃至ステップＳ９２７は、図５のステップＳ５２１乃至ステップＳ５２７と同様なので説明を省略する。
【０１２１】
ステップＳ９２８では、健診工程端末Ｃ１１５のＣＰＵ２１は、ディスプレイ２５に図１８に示す視力検査用の入力画面を表示する。
【０１２２】
この時点では、受診者ＩＤ１８１（９１２３４５）と健診番号（０１２３４５６７）や氏名・性別・年齢は、ステップＳ９２７で受信してメモリ２２に記憶した受診者情報に基づいて表示されているが、各視力の入力欄はブランクのままである。
【０１２３】
図１８は、本発明の健診工程端末における処理プログラム画面の一例を示す図である。
【０１２４】
次に、ステップＳ９２９において、健診工程端末Ｃ１１５のＣＰＵ２１は、健診機器Ｃ１１４の検査結果を、健診工程端末Ｃ１１５のキーボード２６経由で入力し、健診工程端末Ｃ１１５のメモリ２２のワークエリアに記憶する。
【０１２５】
ステップＳ９３０では、健診工程端末Ｃ１１５のＣＰＵ２１は、登録ボタン１８５がタッチされるまで、登録ボタン１８５のタッチの有無を検知し、登録ボタン１８５のタッチを検知したと判断した場合には、処理をステップＳ９３１に進める。
【０１２６】
ステップＳ９３１では、健診工程端末Ｃ１１５のＣＰＵ２１は、検査データ（左右の各視力データ）を健診工程端末Ｃ１１５のメモリ２２内の検査データ記憶エリアに記憶する。
【０１２７】
ステップＳ９３２では、健診工程端末Ｃ１１５のＣＰＵ２１は、検査データを記録媒体１６０に送信し、処理をステップＳ９２１に戻す。
【０１２８】
そして、ステップＳ９０３において、記録媒体１６０のコントローラは、健診工程端末Ｃ１１５のリーダライタ２７から検査データを受信すると、該受診した検査データを記録媒体１６０内の記録部に書込む（記録する）。
【０１２９】
以上のように構成することで、例えば図１８に示す画面において操作者が検査データを手入力するような場合でも、受診者が持ち運ぶ記録媒体１６０に、容易に検査データを記録することが可能になる。
【０１３０】
次に図１０の処理を説明する。
【０１３１】
図１０は、図４のステップＳ４２５で実行される本発明の健診工程端末における処理プログラム（後述する第四のプログラム、又は、後述する処理プログラムの他の例）のフローチャートの一例を示す図である。なお、後述する第四のプログラムでは図１０のステップＳ１０３３乃至ステップＳ１０３４、ステップＳ１０４１、ステップＳ１００３の各ステップは実行しない。つまり検査データを健診工程端末のメモリ２２に記憶し、検査データも通過データも記憶媒体１６０には記憶しない処理である。
【０１３２】
なお、図１０のステップＳ１０２１乃至ステップＳ１０３４は健診工程端末（ここでは健診工程端末Ａ１１１とする）のＣＰＵ２１がメモリ２２に記憶されるプログラムを読み出して実行することにより実現される（即ち、健診工程端末Ａ１１１のＣＰＵ２１の制御の元で実行される）処理に対応する。ステップＳ１０４１は健診工程端末（ここでは健診工程端末Ｂ１１３とする）のＣＰＵ２１がメモリ２２に記憶されるプログラムを読み出して実行することにより実現される（即ち、健診工程端末Ｂ１１３のＣＰＵ２１の制御の元で実行される）処理に対応する。また、Ｓ１０１１乃至ステップＳ１０１６は健診機器（ここでは健診機器Ａ１１０）のＣＰＵ２１がメモリ２２に記憶されるプログラムを読み出して実行することにより実現される（即ち、健診機器Ａ１１０のＣＰＵ２１の制御の元で実行される）処理に対応する。また、ステップＳ１００１乃至ステップＳ１００３は、記録媒体１６０内の不図示のコントローラが実行する処理に対応する。
【０１３３】
また、図１０のステップＳ１０２１乃至ステップＳ１０３２は、図５のステップＳ５２１乃至ステップＳ５３２と実質同一（登録ボタン押下の判定と検査データ記憶の順序が逆な点だけ異なる）なので、説明を省略する。図１０のステップＳ１０１１乃至ステップＳ１０１６は図５のステップＳ５１１乃至ステップＳ５１６と同一なので説明を省略する。又図１０のステップＳ１００１乃至ステップＳ１００２は図５のステップＳ５０１乃至ステップＳ５０２と同一なので説明を省略する。
【０１３４】
ステップＳ１０３３では、健診工程端末Ａ１１１のＣＰＵ２１は、予め健診工程端末Ａ１１１のメモリ２２に記憶している送信先端末指定データを読み、健診工程端末Ａ１１１のメモリ２２のワークエリアに記憶する。
【０１３５】
次に、ステップＳ１０３４では、健診工程端末Ａ１１１のＣＰＵ２１は、送信先の端末（後工程の健診工程端末Ｂ１１３）に検査データを送信する。
【０１３６】
ステップＳ１０４１では、後工程の健診工程端末Ｂ１１３のＣＰＵ２１は、健診工程端末Ａ１１１から検査データを受信し、自の健診工程の検査と共に記録媒体１６０に送信する。
【０１３７】
そして、ステップＳ１００３において、記録媒体１６０のコントローラは、健診工程端末Ｂ１１３のリーダライタ２７から２工程分の検査データを受信すると、該受診した２工程分の検査データを記録媒体１６０内の記録部に書込む（記録する）。
【０１３８】
以上示した図１０の処理によって、例えば尿検査のように検査を行なっても直ぐに検査結果が出ない健診工程（特に前の計測の検査結果が出る前であっても次の計測を実行できるような健診機器の場合）でも受診者の携帯する記録媒体に記録するまで受診者は待機する必要がなく、検査データを後工程の健診工程端末（上述の説明では健診工程端末Ｂ１１３）に送信することで、受診者が持ち運ぶ記録媒体１６０に、記録することができるので、健診工程端末の故障による検査データの消失リスクを低減しつつ、検査の実施速度を向上させることができる。
【０１３９】
次に図１１を説明する。
【０１４０】
図１１は、図４のステップＳ４２５で実行される本発明の健診工程端末における処理プログラム（後述する処理プログラムの他の例）のフローチャートを示す図である。
【０１４１】
なお、図１１のステップＳ１１２１乃至ステップＳ１１３３は健診工程端末（ここでは健診工程端末Ａ１１１とする）のＣＰＵ２１がメモリ２２に記憶されるプログラムを読み出して実行することにより実現される（即ち、健診工程端末Ａ１１１のＣＰＵ２１の制御の元で実行される）処理に対応する。ステップＳ１１４１は健診工程端末（ここでは健診工程端末Ｂ１１３とする）のＣＰＵ２１がメモリ２２に記憶されるプログラムを読み出して実行することにより実現される（即ち、健診工程端末Ｂ１１３のＣＰＵ２１の制御の元で実行される）処理に対応する。また、Ｓ１１１１乃至ステップＳ１１１５は健診機器（ここでは健診機器Ａ１１０）のＣＰＵ２１がメモリ２２に記憶されるプログラムを読み出して実行することにより実現される（即ち、健診機器Ａ１１０のＣＰＵ２１の制御の元で実行される）処理に対応する。また、ステップＳ１１０１乃至ステップＳ１１０３は、記録媒体１６０内の不図示のコントローラが実行する処理に対応する。
【０１４２】
また、図１１のステップＳ１１２１乃至ステップＳ１１３１は、図６のステップＳ６２１乃至ステップＳ６３２と実質同一なので、説明を省略する。図１１のステップＳ１１１１乃至ステップＳ１１１５は、図６のステップＳ６１１乃至ステップＳ６１５と同一なので説明を省略する。又図１１のステップＳ１１０１乃至ステップＳ１１０２は図６のステップＳ６０１乃至ステップＳ６０２と同一なので説明を省略する。
【０１４３】
又、図１１のフローチャートと図１０のフローチャートの差異は図５のフローチャート及び図６のフローチャートの差異と同様であり、図１０が健診工程端末Ｂ１１３から見ていわゆるプッシュ型であるのに対して、図１１ではいわゆるプル型である点が異なるだけなので詳細な説明は省略する。
【０１４４】
図１１の処理では、健診機器側に送信ボタンがない場合でも健診工程端末Ｂ１１３から検査データを要求して、後工程端末経由で、受診者が持ち運ぶ記録媒体１６０に送信することが出来る。
【０１４５】
次に図１２を説明する。
【０１４６】
図１２は、図４のステップＳ４２５で実行される本発明の健診工程端末における処理プログラム（後述する第一のプログラム）のフローチャートの他の例を示す図である。
【０１４７】
なお、図１２のステップＳ１２２１乃至ステップＳ１２３９は各健診工程端末のＣＰＵ２１がメモリ２２に記憶されるプログラムを読み出して実行することにより実現される（即ち、健診工程端末のＣＰＵ２１の制御の元で実行される）処理に対応する。また、Ｓ１２１１乃至ステップＳ１２１５は各健診機器のＣＰＵ２１がメモリ２２に記憶されるプログラムを読み出して実行することにより実現される（即ち、健診機器のＣＰＵ２１の制御の元で実行される）処理に対応する。また、ステップＳ１２０１乃至ステップＳ１２０３は、記録媒体１６０内の不図示のコントローラが実行する処理に対応する。以下、健診工程端末Ａ１１１，健診機器Ａ１１０で実行されるものとして説明する。但し、図１２の処理では、図２において健診工程端末Ａ１１１，健診機器Ａ１１０は点線で結ばれている（すなわち無線で検査データをやり取りする）ものとする。
【０１４８】
なお、図１２のステップＳ１２２１乃至ステップＳ１２３１は、図６のステップＳ６２１乃至ステップＳ６３１と実質同一（ステップＳ１２３１では「検査データ受信待ち」となっている点だけ異なる）なので、説明を省略する。図１２のステップＳ１２１１乃至ステップＳ１２１５は図６のステップＳ６１１乃至ステップＳ６１５と同一なので説明を省略する。又図１２のステップＳ１２０１乃至ステップＳ１２０２は図６のステップＳ６０１乃至ステップＳ６０２と同一なので説明を省略する。
【０１４９】
ステップＳ１２３１では、健診工程端末Ａ１１１のＣＰＵ２１は、健診機器Ａ１１０からの検査データ受診を待機し、ステップＳ１２３２において、健診機器Ａ１１０から検査データを受信したか否かを判定する。
【０１５０】
ステップＳ１２３２で、健診工程端末Ａ１１１のＣＰＵ２１が、健診機器Ａ１１００から検査データを受信したと判断した場合には、ステップＳ１２３４に進め、一方、受信しなかった場合は処理をステップＳ１２３３に進める。
【０１５１】
ステップＳ１２３４では、健診工程端末Ａ１１１のＣＰＵ２１は、受信した検査データを示す画面（ここでは図１９の画面とする）を健診工程端末Ａ１１１のディスプレイ２５に表示し、ステップＳ１２３６において、健診工程端末Ａ１１１のメモリ２２内の検査データ記憶エリアに、受信した検査データと修正履歴フラグ（値＝オフ）を記憶し、ステップＳ１２３８に処理を進める。
【０１５２】
一方、ステップＳ１２３３では、健診工程端末Ａ１１１のＣＰＵ２１は、通信エラー又はタイムアウトエラーが発生しているかを判定し、エラーが発生していると判断した場合には、処理をステップＳ１２３５に進め、エラーが発生していないと判断した場合には、処理をステップＳ１２３１に戻す。
【０１５３】
ステップＳ１２３５では、健診工程端末Ａ１１１のＣＰＵ２１は、健診工程端末Ａ１１１のディスプレイ２５に、検査データ入力画面（ここでは図１９の画面とするが身長，体重等の検査データは全てブランクとする）を表示し、処理をステップＳ１２３７に進める。
【０１５４】
ステップＳ１２３７では、健診工程端末Ａ１１１のＣＰＵ２１は、検査データの健診工程端末Ａ１１１のキーボード２６からの入力を受け付け、検査データが入力されると、ステップＳ１２３６において、入力された検査データと修正履歴フラグ（値＝オン）を健診工程端末Ａ１１１のメモリ２２の検査データ記憶エリアに記憶し、ステップＳ１２３８に処理を進める。
【０１５５】
ステップＳ１２３８では、健診工程端末Ａ１１１のＣＰＵ２１は、登録ボタン１９５がタッチされるまで、登録ボタン１９５のタッチの有無を検知し、登録ボタン１９５のタッチを検知した場合には、処理をステップＳ１２３９に進める。
【０１５６】
ステップＳ１２３９では、検査データと修正履歴フラグを記録媒体１６０に送信し、ステップＳ１２２１に処理を戻す。
【０１５７】
そして、ステップＳ１２０３において、記録媒体１６０のコントローラは、健診工程端末Ａ１１１のリーダライタ２７から健診データを受信すると、該受診した健診データを記録媒体１６０内の記録部に書込む（記録する）。
【０１５８】
以上示した図１２の処理によれば、健診会場が工場の中にあった場合等のように外来ノイズで通信障害が発生したり、健診機器や健診工程端末の通信機能が不調になった場合でも、速やかに手入力で検査データを記録することができる。
【０１５９】
最後に図１３の処理を説明する。
【０１６０】
図１３は、本発明の管理端末１５０における回収処理プログラムのフローチャートの例を示す図である。なお、図１３のステップＳ１３２１乃至ステップＳ１３３７は管理端末１５０のＣＰＵ２１がメモリ２２に記憶されるプログラムを読み出して実行することにより実現される（即ち、管理端末１５０のＣＰＵ２１の制御の元で実行される）処理に対応する。また、ステップＳ１３０１乃至ステップＳ１３０２は、記録媒体１６０の不図示のコントローラが実行する処理に対応する。なお、健診の開始に先立って健診工程情報ファイルを、ＵＳＢメモリ等の手段で外部から読込んで、管理端末１５０のメモリ２２に記憶しておくものとする。なお、上記健診工程情報ファイルは、当日の健診工程の一覧データであり、各健診工程の各健診データ及び通過記録データのフォーマットも記録されている。
【０１６１】
まずステップＳ１３２１では、管理端末１５０のＣＰＵ２１は、管理端末１５０のディスプレイ２５（タッチパネルを兼ねる）やリーダライタ２７への操作を判定し、処理をステップＳ１３２２に進める。
【０１６２】
ステップＳ１３２２では、管理端末１５０のＣＰＵ２１は、管理端末１５０のリーダライタ２７にカード（記録媒体１６０）がタッチしたか否かを判定する。リーダライタ２７に記録媒体１６０がタッチしたと判定した場合は、管理端末１５０のＣＰＵ２１は、処理をステップＳ１３２３に進める。一方、リーダライタ２７に記録媒体１６０がタッチしなかったと判定した場合は、管理端末１５０のＣＰＵ２１は、処理をステップＳ１３２１に戻す。
【０１６３】
ステップＳ１３２３では、管理端末１５０のＣＰＵ２１は、リーダライタ２７を介して記憶媒体１６０に対して受診者情報及び検査データ及び通過記録データの読取要求を送信する。
【０１６４】
ステップＳ１３０１では、記録媒体１６０のコントローラは、管理端末１５０のリーダライタ２７から受診者情報及び検査データ及び通過記録データの読取要求を受信すると、ステップＳ１３０２において、受診者情報及び検査データ及び通過記録データを管理端末１５０のリーダライタ２７に送信する。
【０１６５】
ステップＳ１３２４では、管理端末１５０のＣＰＵ２１は、管理端末１５０のリーダライタ２７を介して一人分の受診者情報及び全検査データ及び通過記録データを受信して、管理端末１５０のメモリ２２のワークエリアに記憶する。
【０１６６】
ステップＳ１３２５では、管理端末１５０のＣＰＵ２１は、メモリ２２に記憶される健診工程情報ファイルと上記一人分の全検査データ及び通過記録データを照合し、未検査や未通過の健診工程がないか判定し、判定結果を管理端末１５０のメモリ２２のワークエリアに記憶する。
【０１６７】
ステップＳ１３２６では、管理端末１５０のＣＰＵ２１は、管理端末１５０のディスプレイ２５に図２１に示す検査結果画面を表示する。
【０１６８】
図２１は、本発明の管理端末における回収処理プログラム画面の一例を示す図である。
【０１６９】
管理端末１５０のＣＰＵ２１は、図２１の画面において、受信した受診者情報に基づいて受診者ＩＤや氏名２１０、性別や年齢を表示し、ステップＳ１３２５の判定結果に基づいて未検査や未通過や検査済や受付済の区分を表示して、処理をステップＳ１３２７に進める。
【０１７０】
なお、図２１に示した例では、血液検査の結果２１２が未受付であること、聴力検査の結果２１１が受付済であること等を示している。
【０１７１】
ステップＳ１３２７では、管理端末１５０のＣＰＵ２１は、図２１の各画面の各ボタン（リスト印刷ボタン２１３、表示切替ボタン２１４、印刷ボタン２１５、登録ボタン２１６）のタッチを検知し（操作判定し）、処理をステップＳ１３２８に進める。
【０１７２】
ステップＳ１３２８では、管理端末１５０のＣＰＵ２１は、表示切替ボタン２１４のタッチを検知したか否かを判定し、表示切替ボタン２１４のタッチを検知したと判断した場合には、処理をステップＳ１３２９に進め、表示切替ボタン２１４のタッチを検知しなかったと判断した場合には、処理をステップＳ１３３０に進める。
【０１７３】
ステップＳ１３２９では、管理端末１５０のＣＰＵ２１は、図２１の初期画面が表示されていた場合は図２２の健診データ明細表示画面に表示を切替え、図２２の健診データ明細表示画面が表示されていた場合は図２１の初期画面に表示を切替え、処理をステップＳ１３２７に戻す。
【０１７４】
図２２は、本発明の管理端末における回収処理プログラム画面の一例を示す図である。
【０１７５】
次に、ステップＳ１３３０では、管理端末１５０のＣＰＵ２１は、印刷ボタン２１５のタッチを検知した否かを判定し、印刷ボタン２１５のタッチを検知した場合は処理をステップＳ１３３１に進め、印刷ボタン２１５のタッチを検知しなかった場合は処理をステップＳ１３３２に進める。
【０１７６】
ステップＳ１３３１では、管理端末１５０のＣＰＵ２１は、管理端末１５０のメモリ２２に記憶した当該受診者の受診者情報と検査データ及び通過記録データに基づいて、受診者個人用の結果リストを出力し、処理をステップＳ１３２７に戻す。
【０１７７】
次に、ステップＳ１３３２では、管理端末１５０のＣＰＵ２１は、登録ボタン２１６のタッチを検知したか否かを判定し、登録ボタン２１６のタッチを検知したと判断した場合には、処理をステップＳ１３３３に進め、登録ボタン２１６のタッチを検知しなかったと判断した場合には、処理をステップＳ１３２７に戻す。
【０１７８】
ステップＳ１３３３では、管理端末１５０のＣＰＵ２１は、ステップＳ１３２５における各検査データ及び通過記録データの検査漏れの判定結果に基づいて、検査漏れや未受付その他の異常データがあるかを判定し、検査漏れ又は未受付その他の異常データがあると判断した場合には、処理をステップＳ１３３４に進め、検査漏れ又は未受付その他の異常データがないと判断した場合には、処理をステップＳ１３３５に進める。
【０１７９】
ステップＳ１３３４では、管理端末１５０のＣＰＵ２１は、管理端末１５０の不図示のスピーカーから警告音を出力し、管理端末１５０のディスプレイ２５に検査漏れや未受付その他の異常データがある健診工程の名称と受診者ＩＤ及び氏名、再度該当の健診工程に行くように促すメッセージを表示し、ステップＳ１３３５に処理を進める。
【０１８０】
ステップＳ１３３５では、管理端末１５０のＣＰＵ２１は、健診結果ファイルに１人分の検査データ及び通過記録データを書込み、処理をステップＳ１３２１に戻す。
【０１８１】
なお、健診結果ファイルの検査漏れや未受付その他の異常データがある場合は、管理端末１５０のＣＰＵ２１は、管理端末１５０のメモリ２２内の健診未完了フラグをオンにして記憶しておくように構成しても良い。
【０１８２】
なお、本実施形態では、ディスプレイ２５をタッチパネル付きのディスプレイとして説明したが、ディスプレイ２５を通常のディスプレイとし、マウス等のポインティングデバイスを設けて入力を行うように構成してもよい。
【０１８３】
また、上述した各種データの構成及びその内容はこれに限定されるものではなく、用途や目的に応じて、様々な構成や内容で構成されることは言うまでもない。
【０１８４】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１８５】
以上示したように、図１に示した健診工程端末は、メモリ２２に、図１４，図１５に示した関連付情報ファイル、各健診機器とのインタフェース設定、各処理プログラム、各健診機器の設定情報とを少なくとも記憶する。そして、健診工程端末のＣＰＵ２２は、図１７に示した各健診メニューのいずれかの選択に応じて、前記健診機器の設定情報と前記処理プログラムをメモリ２２より読み出して実行する。なお、この処理プログラムは、記録媒体１６０から受診者ＩＤ又は健診番号の少なくとも１つを含む受診者情報を受信し、健診機器から健診データを受信し、前記健診データを記録媒体１６０に記憶させる第一のプログラム（図５，図６，図１２）と、記録媒体１６０から受診者ＩＤ又は健診番号の少なくとも１つを含む受診者情報を受信し、入力された開始番号に基づいて各受診者毎の検査番号を採番し、前記健診番号と前記検査番号を関連付けてメモリ２２に記憶し、記録媒体１６０に通過情報を記録させる第二のプログラム（図７）とを含む。
【０１８６】
また、前記処理プログラムは、記録媒体１６０から受診者ＩＤ又は健診番号の少なくとも１つを含む受診者情報を受信し、健診機器に表示された健診データを入力させ、前記健診データを記録媒体１６０に記憶させる第三のプログラム（図９）と、記録媒体１６０から受診者ＩＤ又は健診番号を含む受診者情報を受信し、健診機器から健診データを受信し、前記健診データをメモリ２２に記憶する第四のプログラム（図１０）を含む。
【０１８７】
また、前記処理プログラムは、記録媒体１６０から受診者ＩＤ又は健診番号の少なくとも１つを含む受診者情報を受信し、前記受診者情報をメモリ２２に記憶し、記録媒体１６０に通過情報を記録する第五のプログラム（図８）を含む。
【０１８８】
また、管理端末１５０は、メモリ２２に健診工程情報ファイル（各健診工程の各健診データ及び通過記録データのフォーマットを含む）を記憶する。また、管理端末１５０のＣＰＵ２１は、記録媒体１６０から受診者ＩＤ又は健診番号の少なくとも１つと、前記健診データ及び前記通過記録データを読み出し、前記フォーマットと前記健診データ及び前記通過記録データに基づいて検査洩れの有無を判定し、検査漏れがあると判定した場合に、検査漏れと判定した健診工程の健診データ復旧の要否を前記フォーマットに基づいて判定する（図１３）。
【０１８９】
また、健診工程端末のＣＰＵ２２は、メモリ２２に各健診工程別の各健診機器別の設定情報を記憶し、前記処理プログラム（図５）は、前記各メニューを選択した場合に当該選択した健診工程における複数の健診機器から１つを選択させて、前記選択された健診機器に関連付けられた設定情報を読み出して処理を実行する。
【０１９０】
また、第一のプログラム（図１２）は、受診者情報受信ステップにおける受信エラーを検知し、前記受信エラーを検知した場合に健診データを入力するための画面を表示し、該画面から入力された健診データをメモリ２２に記憶する。
【０１９１】
また、健診工程端末のＣＰＵ２２は、他の端末と通信し、前記処理プログラム（図１０，図１１に示した処理プログラムの他の例）は、受診者情報と健診データとを送信する後工程の端末指定情報を読み出し、前記端末指定情報に基づいて端末に健診データを送信する。
【０１９２】
以上の構成により、複数の処理プログラムを健診工程端末のメモリ２２に記憶してメニューの選択に応じて所定の健診機器の設定を読み込んで対応する処理プログラムを健診工程端末のＣＰＵ２１で実行するので、現有する様々な種類の健診機器及び様々な外部インタフェースに柔軟に対応可能で健診時の準備工数を大幅に削減可能な健診情報収集システムを提供することができる。
【０１９３】
また、検査終了時点での検査洩れの有無を判断し画面に警告を表示するので検査漏れが生じない健診情報収集システムを提供する。
【０１９４】
また、健診機器や端末の不調にも迅速に対応可能な健診情報収集システムを提供する。
【０１９５】
なお、特に図示しないが、本発明に係る装置で読み取り可能な各種プログラムやデータを格納する記録媒体（記憶媒体）には、該記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１９６】
さらに、各種プログラムに従属するデータも上記ディレクトリに管理されている。また、インストールするプログラムやデータが圧縮されている場合に、解凍するプログラム等も記憶される場合もある。
【０１９７】
本実施形態における図３乃至図１３の各フローチャート、及び図１６乃至図２２の画面に示す機能が外部からインストールされるプログラムによって、ホストコンピュータにより遂行されていてもよい。そして、その場合、不図示のＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１９８】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１９９】
この場合、記録媒体から読み出されたプログラムコード自体が本発明の新規な機能を実現することになり、そのプログラムコードを記憶した記録媒体は本発明を構成することになる。
【０２００】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０２０１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２０２】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２０３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０２０４】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【０２０５】
なお、上述した実施形態の各変形例を組み合わせた構成も全て本発明に含まれるものである。
【符号の説明】
【０２０６】
２０    システムバス
２１    ＣＰＵ
２２    メモリ
２３    ＲＯＭ
２４    通信アダプタ
２５    ディスプレイ
２６    キーボード
２７    リーダライタ
１００    受付端末
１１０    健診機器Ａ
１１１    健診工程端末Ａ
１１２    健診機器Ｂ
１１３    健診工程端末Ｂ
１１４    健診機器Ｃ
１１５    健診工程端末Ｃ
１２８    健診機器Ｎ
１２９    健診工程端末Ｎ
１５０    管理端末
【図１】
2020119607.tif 000003
【図２】
2020119607.tif 000004
【図３】
2020119607.tif 000005
【図４】
2020119607.tif 000006
【図５】
2020119607.tif 000007
【図６】
2020119607.tif 000008
【図７】
2020119607.tif 000009
【図８】
2020119607.tif 000010
【図９】
2020119607.tif 000011
【図１０】
2020119607.tif 000012
【図１１】
2020119607.tif 000013
【図１２】
2020119607.tif 000014
【図１３】
2020119607.tif 000015
【図１４】
2020119607.tif 000016
【図１５】
2020119607.tif 000017
【図１６】
2020119607.tif 000018
【図１７】
2020119607.tif 000019
【図１８】
2020119607.tif 000020
【図１９】
2020119607.tif 000021
【図２０】
2020119607.tif 000022
【図２１】
2020119607.tif 000023
【図２２】
2020119607.tif 000024